【手続補正書】
【提出日】平成17年6月20日(2005.6.20)
【手続補正１】
【補正対象書類名】明細書
【補正対象項目名】特許請求の範囲
【補正方法】変更
【補正の内容】
【特許請求の範囲】
【請求項１】  データブロックを無線システム内で第１トランシーバ(260)から第２トランシーバ(264)へ送信する方法であって、第１トランシーバは、識別のために送信されるべきデータブロックに識別子をアタッチし、この識別子は、限定識別子スペースから繰り返し指定され、第２トランシーバは、そのデータブロックを受信し、そしてデータブロックの受信が失敗したとき、第２トランシーバは、データブロックを受信メモリ(528)に記憶し、そして第１トランシーバは、上記データブロックを最初の送信と同じ識別子で再送信し、そして第２トランシーバは、そのデータブロックを再受信するような方法において、
第２トランシーバ(264)は、上記限定識別子スペースに属するウインドウの位置に関する情報を維持し、
第２トランシーバがデータブロックを再受信したときに、その再受信されたデータブロックの識別子と以前に受信されたデータブロックの識別子が互いに比較され、そしてそれらデータブロックは、それらが同じ識別子を有し、そしてその識別子が、第２トランシーバにより維持されたウインドウ内に、以前に受信されたデータブロックの受信時間から、再受信されたデータブロックの受信時間まで連続的に存在していることが検出された場合に、同じものであると決定され、そして
第２トランシーバは、同じものであると決定されたデータブロックを合成するという段階を備えたことを特徴とする方法。
【請求項２】  第２トランシーバは、識別子がウインドウ内にないデータブロックを受信したときには、ウインドウを識別子スペースにおいて順方向に繰り返しシフトして、識別子が、ウインドウのシフト後にウインドウ内に入るようにする請求項１に記載の方法。
【請求項３】  ウインドウのシフト後に、識別子に基づく位置がウインドウのシフト後にウインドウ内にないデータブロックを受信メモリ(528)が含む場合には、上記データブロックが受信メモリから削除される請求項１又は２に記載の方法。
【請求項４】  同じ識別子を有する以前に受信されたデータブロックが受信メモリ(528)にある場合には、再受信されたデータブロックと以前に受信されたデータブロックは同じであると決定される請求項３に記載の方法。
【請求項５】  ウインドウに属する各識別子に対し、それに対応するデータブロックが成功裡に受信されたかどうかに関する情報が維持される請求項１又は２に記載の方法。
【請求項６】  受信は失敗したが、識別子が成功裡な受信のマーキングを有するデータブロックは、受信メモリ(528)に記憶されない請求項５に記載の方法。
【請求項７】  互いに無線連絡している第１トランシーバ(260)及び第２トランシーバ(264)を備えた無線システムであって、第１トランシーバ(260)は、データブロックに識別用の識別子が与えられるように送信のためのデータブロックを形成する手段(500,504)を備え、上記識別子は、限定識別子スペースから繰り返し指定され、上記第１トランシーバは、更に、第２トランシーバ(264)により送信された再送信要求を受信するための手段(508)と、第２トランシーバ(264)へデータブロックを送信すると共に第２トランシーバ(264)へデータブロックを再送信するための手段(506)を備え、そして上記第２トランシーバ(264)は、第１トランシーバにより送信されたデータブロックを受信すると共に第１トランシーバにより再送信されたデータブロックを受信する手段(512)と、データブロックの受信失敗を検出する手段(524)と、受信が失敗したデータブロックが記憶される受信メモリ(528)と、データブロックの再送信要求を第１トランシーバ(260)へ送信する手段(526)を備えている無線システムにおいて、上記第２トランシーバ(264)は、
上記限定識別子スペースに属するウインドウの位置に関する情報を維持するための手段(530)と、
再受信されたデータブロックの識別子と、以前に受信されたデータブロックの識別子を互いに比較し、そしてそれらデータブロックが同じ識別子を有し、且つその識別子が、第２トランシーバにより維持されたウインドウ内に、以前に受信されたデータブロックの受信時間から、再受信されたデータブロックの受信時間まで連続的に存在している場合に、それらのデータブロックを同じものであると決定するための手段(524)と、
同じものであると決定されたデータブロックを合成するための手段(524)と、を備えたことを特徴とする無線システム。
【請求項８】  上記第２トランシーバ(264)は、識別子がウインドウ内にないデータブロックを受信したときには、受信したデータブロックの識別子の位置がウインドウシフト後にウインドウ内に入るように、識別子スペースにおいてウインドウをシフトするための手段(524,530)を備えた請求項７に記載の無線システム。
【請求項９】  上記第２トランシーバ(264)は、データブロックの識別子の位置がウインドウのシフト後にウインドウ内にない場合に、データブロックを受信メモリ(528)から削除する手段(524)を備えた請求項８に記載の無線システム。
【請求項１０】  上記第２トランシーバ(264)は、再受信識別子の識別子に基づく位置がウインドウ内にあり、そして受信メモリが、同じ識別子を有する以前に受信されたデータブロックを含む場合には、再受信されたデータブロックと、以前に受信されたデータブロックが同じであると決定するための手段(524)を備えた請求項９に記載の無線システム。
【請求項１１】  上記第２トランシーバ(264)は、成功裡に受信されたデータブロックを受信成功とマーキングするための手段(524)を備えた請求項７に記載の無線システム。
【請求項１２】  無線システムの少なくとも１つの送信器と無線連絡するように構成される無線システムにおける受信器であって、上記無線システムの送信器によって送信されるデータブロックを受信し且つ上記送信器によって再送信されるデータブロックを受信するための手段を備え、上記データブロックは、限定識別子スペースから繰り返し指定される識別子を含み、更に、データブロックの受信の失敗を検出するための手段および受信に失敗したデータブロックが記憶される受信メモリを備えた受信器において、
上記限定識別子スペースに属するウインドウの位置に関する情報を維持するための手段と、
再受信されたデータブロックの識別子と以前に受信されたデータブロックの識別子とを互いに比較し且つそれらが同じ識別子を有し、そしてその識別子が、該受信器により維持されたウインドウ内に、以前に受信されたデータブロックの受信時間から、上記再受信されたデータブロックの受信時間まで連続的に存在している場合に、それらデータブロックを同じものであると決定するための手段と、
同じものであると決定されたデータブロックを合成するための手段と、
を備えたことを特徴とする受信器。
【請求項１３】  無線システムにおいてデータブロックを受信器（２６４）によって受信する方法であって、上記受信器は、送信器によって送信されるおよび再送信されるデータブロックを受信し、上記データブロックは、限定識別子スペースから繰り返し指定される識別子を含み、且つデータブロックの受信の失敗を検出し該データブロックを受信メモリ（５２８）に記憶するようにする方法において、
上記受信器（２６４）は、上記限定識別子スペースに属するウインドウの位置に関する情報を維持し、
上記受信器がデータブロックを再受信するとき、該再受信されたデータブロックの識別子と以前に受信されたデータブロックの識別子とが互いに比較され、それらが同じ識別子を有し、そしてその識別子が、該受信器により維持されたウインドウ内に、以前に受信されたデータブロックの受信時間から、上記再受信されたデータブロックの受信時間まで連続的に存在していると、上記ウインドウの位置に関する情報に基づいて検出される場合に、それらデータブロックを同じものであると決定され、
上記受信器は、同じものであると決定されたデータブロックを合成する、という段階を含むことを特徴とする方法。
【請求項１４】  無線システムの少なくとも１つの送信器と無線連絡するように構成された無線システムにおける移動ステーションであって、上記無線システムの送信器によって送信されるデータブロックを受信し且つ上記送信器によって再送信されるデータブロックを受信するための手段を備え、上記データブロックは、限定識別子スペースから繰り返し指定される識別子を含み、更に、データブロックの受信の失敗を検出するための手段および受信に失敗したデータブロックが記憶される受信メモリを備えた移動ステーションにおいて、
上記限定識別子スペースに属するウインドウの位置に関する情報を維持するための手段と、
再受信されたデータブロックの識別子と以前に受信されたデータブロックの識別子とを互いに比較し且つそれらが同じ識別子を有し、そしてその識別子が、該受信器により維持されたウインドウ内に、以前に受信されたデータブロックの受信時間から、上記再受信されたデータブロックの受信時間まで連続的に存在している場合に、それらデータブロックを同じものであると決定するための手段と、
同じものであると決定されたデータブロックを合成するための手段と、
を備えたことを特徴とする移動ステーション。
【請求項１５】  無線システムの少なくとも１つの送信器と無線連絡するように構成された無線システムにおけるベースステーションであって、上記無線システムの送信器によって送信されるデータブロックを受信し且つ上記送信器によって再送信されるデータブロックを受信するための手段を備え、上記データブロックは、限定識別子スペースから繰り返し指定される識別子を含み、更に、データブロックの受信の失敗を検出するための手段および受信に失敗したデータブロックが記憶される受信メモリを備えたベースステーションにおいて、
上記限定識別子スペースに属するウインドウの位置に関する情報を維持するための手段と、
再受信されたデータブロックの識別子と以前に受信されたデータブロックの識別子とを互いに比較し且つそれらが同じ識別子を有し、そしてその識別子が、該受信器により維持されたウインドウ内に、以前に受信されたデータブロックの受信時間から、上記再受信されたデータブロックの受信時間まで連続的に存在している場合に、それらデータブロックを同じものであると決定するための手段と、
同じものであると決定されたデータブロックを合成するための手段と、
を備えたことを特徴とするベースステーション。